(57)【特許請求の範囲】
【請求項１】
細長形状の集魚部材が設けられる釣具であって、
上部がループ状に形成され、かつ下側にフックが取り付けられるハリスと、
下向きに開放された集魚部材嵌め込み凹部を有し、かつ上壁に前記集魚部材嵌め込み凹部内に連通するハリス挿通孔が形成された集魚部材結束具とを備え、
前記集魚部材結束具のハリス挿通孔および集魚部材嵌め込み凹部に前記ハリスのループ状部がスライド自在に挿通配置され、
前記ループ状部における前記集魚部材結束具よりも下側に前記集魚部材が挿通配置された状態で、前記集魚部材結束具が前記ループ状部に沿って下方にスライド操作されることにより、前記集魚部材のループ状部への挿通配置部が屈曲しつつ前記集魚部材嵌め込み凹部内に嵌め込まれて保持されるとともに、
前記集魚部材の両端部が前記集魚部材結束具の周壁部に抑え込まれて下向きに配置されるように構成されていることを特徴とする釣具。
【請求項２】
ヘッドが、前記ハリスにおける前記集魚部材結束具によりも上側に前記ハリスに沿ってスライド自在に取り付けられている請求項１に記載の釣具。
【請求項３】
上部がループ状に形成され、かつ下側にフックが取り付けられるハリスを備えた釣具に、細長形状の集魚部材を取り付けるための釣具用集魚部材結束具であって、
下向きに開放された集魚部材嵌め込み凹部を有し、
上壁に前記集魚部材嵌め込み凹部内に連通するハリス挿通孔が形成され、
前記ハリス挿通孔および前記集魚部材嵌め込み凹部に前記ハリスのループ状部をスライド自在に挿通配置した状態で、前記ループ状部に挿通配置された前記集魚部材の挿通配置部を屈曲させつつ前記集魚部材嵌め込み凹部内に嵌め込んで保持可能に構成されるとともに、
前記集魚部材の両端部が周壁部に抑え込まれて下向きに配置可能に構成されていることを特徴とする釣具用集魚部材結束具。
【発明の詳細な説明】
【技術分野】
【０００１】
この発明は、スカートやネクタイ等の集魚部材が取り付けられる釣具およびその集魚部材結束具に関する。
【背景技術】
【０００２】
釣具には集魚用の部材や餌が釣り針の周囲に配置されたものが数多く存在する。例えば鯛カブラあるいはタイラバと称されるルアーは、ハリスに錘としてのヘッド、釣り針としてのフックに加えて、スカートおよびネクタイ等の細長形状の集魚部材が取り付けられるのが一般的である。このときスカートおよびネクタイといった部材の色や大きさ、そして水中での動きは非常に重要であり釣果に大きく影響するものであるため、釣り場の状況や魚の状況等に応じて現場でスカートやネクタイ等の集魚部材を交換することが頻繁に行われている。
【０００３】
従来、これらの集魚部材はハリスに糸等を巻き付けて固定するのが一般的であったが、近年においては特許文献１〜４等に示すように、ハリスに外嵌した取付具を介してスカート等を固定するようにしたスカート等の取付構造が提案されている。この取付構造に採用される取付具は外周面に周方向に連続する周溝等が形成されており、この周溝にスカートの中間部が配置された状態で、そのスカートの中間部が糸やゴムチューブ等の巻き付け具によって取付具に巻き付けられ、これによりスカートが取付具を介してハリスに取り付けられている。
【先行技術文献】
【特許文献】
【０００４】
【特許文献１】特開平１０−８０２３８号公報
【特許文献２】特開平１１−３３２４１８号公報
【特許文献３】特開２００６−２２３２８４号公報
【特許文献４】特開２０１１−１１００４２号公報
【発明の開示】
【発明が解決しようとする課題】
【０００５】
しかしながら上記従来の釣具におけるスカート等の取付構造では、スカートを交換する際に糸やゴムチューブ等の巻き付け具を取り外しその後、スカートを別の新たなスカートに取り替えてから、再度スカートを巻き付け具によって巻き付けるように取り付けるものであるため、巻き付け具の取外作業や取付作業が面倒であり、スカート交換作業が困難であるという課題があった。
【０００６】
さらに上記従来の釣具におけるスカート等の取付構造では、スカートの取付向きを揃えるのが難しく、使用時に水中で受ける水流によってスカートが不規則に拡がるような不本意な動きが生じてしまい、十分な釣果を得ることが困難であるという課題があった。
【０００７】
この発明は、上記の課題に鑑みてなされたものであり、スカートやネクタイ等の集魚部材を簡単に交換することができるとともに、使用時に集魚部材が水流によって理想的な動きで揺動し、十分な釣果を得ることができる釣具および釣具用集魚部材結束具を提供することを目的とする。
【課題を解決するための手段】
【０００８】
上記目的を達成するため、本発明は以下の構成を要旨とするものである。
【０００９】
［１］細長形状の集魚部材が設けられる釣具であって、
上部がループ状に形成され、かつ下側にフックが取り付けられるハリスと、
下向きに開放された集魚部材嵌め込み凹部を有し、かつ上壁に前記集魚部材嵌め込み凹部内に連通するハリス挿通孔が形成された集魚部材結束具とを備え、
前記集魚部材結束具のハリス挿通孔および集魚部材嵌め込み凹部に前記ハリスのループ状部がスライド自在に挿通配置され、
前記ループ状部における前記集魚部材結束具よりも下側に前記集魚部材が挿通配置された状態で、前記集魚部材結束具が前記ループ状部に沿って下方にスライド操作されることにより、前記集魚部材のループ状部への挿通配置部が屈曲しつつ前記集魚部材嵌め込み凹部内に嵌め込まれて保持されるとともに、
前記集魚部材の両端部が前記集魚部材結束具の周壁部に抑え込まれて下向きに配置されるように構成されていることを特徴とする釣具。
【００１０】
［２］ヘッドが、前記ハリスにおける前記集魚部材結束具によりも上側に前記ハリスに沿ってスライド自在に取り付けられている前項１に記載の釣具。
【００１１】
［３］上部がループ状に形成され、かつ下側にフックが取り付けられるハリスを備えた釣具に、細長形状の集魚部材を取り付けるための釣具用集魚部材結束具であって、
下向きに開放された集魚部材嵌め込み凹部を有し、
上壁に前記集魚部材嵌め込み凹部内に連通するハリス挿通孔が形成され、
前記ハリス挿通孔および前記集魚部材嵌め込み凹部に前記ハリスのループ状部をスライド自在に挿通配置した状態で、前記ループ状部に挿通配置された前記集魚部材の挿通配置部を屈曲させつつ前記集魚部材嵌め込み凹部内に嵌め込んで保持可能に構成されるとともに、
前記集魚部材の両端部が周壁部に抑え込まれて下向きに配置可能に構成されていることを特徴とする釣具用集魚部材結束具。
【発明の効果】
【００１２】
発明［１］の釣具によれば、集魚部材結束具をハリスのループ状部に沿ってスライド操作するだけでスカートおよびネクタイ等の集魚部材に対する保持および解除を行うことができるため、集魚部材を簡単に交換することができる。さらに集魚部材の両端部が強制的に下向きに配置されるように構成されているため、使用時に集魚部材が水中で不規則に拡がってしまうのを防止でき、集魚部材を水中で理想的な動きでなびかせることができ、十分な釣果を得ることができる。
【００１３】
発明［２］の釣具によれば、ヘッドがハリスに沿って自在に移動する遊動仕掛けであるため、バラシが発生するのを有効に防止することができる。
【００１４】
発明［３］の釣具用集魚部材結束具によれば、上記と同様にスカートおよびネクタイ等の集魚部材を簡単に交換できるとともに、使用時に集魚部材が水中で理想的な動きで揺動させることができ、十分な釣果を得ることができる。
【図面の簡単な説明】
【００１５】
【図１】図１はこの発明の実施形態である釣具が適用されたルアーを示す斜視図である。
【図２】図２は実施形態のルアーを分解して示す斜視図である。
【図３Ａ】図３Ａは実施形態のルアーにおいてハリスに集魚部材を挿通配置した状態を示す斜視図である。
【図３Ｂ】図３Ｂは実施形態のルアーにおいて集魚部材結束具によってハリスに集魚部材を結束した状態を示す斜視図である。
【図４】図４は実施形態のルアーに適用された集魚部材結束具を示す斜視図である。
【図５Ａ】図５Ａは実施形態のルアーにおける集魚部材結束具周辺を集魚部材結束解除状態で示す断面図である。
【図５Ｂ】図５Ｂは実施形態のルアーにおける集魚部材結束具周辺を集魚部材結束状態で示す断面図である。
【図５Ｃ】図５Ｃはこの発明の変形例である集魚部材結束具周辺を示す断面図である。
【図５Ｄ】図５Ｄはこの発明の他の変形例である集魚部材結束具を示す断面図である。
【図６】図６は実施形態におけるルアーのヘッドに正面から水流が当たることによって反転流が発生した状態を説明するための側面図である。
【図７】図７はルアーのヘッドに支流が当たることによって発生した反転流により集魚部材として取り付けたスカートおよびネクタイの動きが乱れる様子を説明するための斜視図である。
【図８】図８はルアーに取り付けた集魚部材が理想的な動きでなびいている状態を説明するための斜視図である。
【発明を実施するための形態】
【００１６】
図１はこの発明の実施形態である釣具が適用されたルアー１を示す斜視図、図２はそのルアー１を分解して示す斜視図である。
【００１７】
両図に示すようにこのルアー１は、鯛カブラ（タイラバ）として用いられるものであり、セキ糸とも称されるハリス２と、錘としてのヘッド３と、釣り針としてのフック４と、スカート５１およびネクタイ５２等の細長い紐状の集魚部材５と、集魚部材５をハリス２に取り付けるための集魚部材結束具６とを基本的な構成として備えている。
【００１８】
ハリス２の両端にはフック４，４がそれぞれ取り付けられており、そのフック付きのハリス２がＵ字状に折り返されて、折り返し部２１とフック取付部との間の中間付近が結び付けられることにより結びコブ２２が形成されている。そしてハリス２における結びコブ２２と折り返し部２１との間に縦長のループ状部２３が形成されている。つまり、ハリス２の上部にループ状部２３が形成されて、下端側にフック４，４が取り付けられている。なお本実施形態においては結びコブ２２から各フック４，４までの糸長さがそれぞれ異なっており、２つのフック４，４が上下に配置されるようになっている。
【００１９】
本実施形態においては上下方向の向きは、ルアーを空中で自然に吊り下げた状態、例えばハリス２の折り返し部２１をつまんで吊り下げた状態で決定するものであり、ハリス２における折り返し部２１側が上方側となり、フック４，４側が下方側となる。従って本実施形態においては折り返し部２１がループ状部２３の上端部となり、結びコブ２２がループ状部２３の下端部となる。
【００２０】
集魚部材５としてのスカート５１は、シリコンやゴムによって構成され、かつ幅１ｍｍ程度の細長い線状の複数本の紐によって構成されている。
【００２１】
またネクタイ５２は、同じくシリコンやゴムによって構成され、かつ幅５ｍｍ程度の帯状の数本（１，２本）の紐によって構成されている。
【００２２】
図３Ａおよび図５Ａに示すようにこれらのスカート５１およびネクタイ５２がハリス２におけるループ状部２３の下部に挿通されて、スカート５１およびネクタイ５２の中間部（挿通配置部）がループ状部２３の結びコブ２２の位置に対応して配置される。
【００２３】
図４、図５Ａおよび図５Ｂに示すように集魚部材結束具６は上端が閉塞されかつ下端が開放された円筒状の形状を有しており、内部空間が下端開口を介して下方に開放された集魚部材嵌め込み凹部６１として形成されている。さらに集魚部材結束具６の上壁の中央には、集魚部材嵌め込み凹部６１に連通するハリス挿通孔６２が形成されている。
【００２４】
集魚部材嵌め込み凹部６１は、ハリス２の結びコブ２２を下端開口部から挿入して収容できる大きさに形成されている。またハリス挿通孔６２は、ハリス２のループ状部２３、つまりハリス２における２本の糸部が重ね合わされた部分を挿通できる大きさに形成されるとともに、ハリス２の結びコブ２２は挿通できない大きさに形成されている。
【００２５】
本発明において集魚部材結束具６の材質は特に限定されるものではないが、例えばＡＢＳ（アクリロニトリル・ブタジエン・スチレン）樹脂、ポリカーボネート樹脂等の硬質性のもの、シリコン等の軟質性のもの等を好適に採用することができる。
【００２６】
図５Ａに示すようにこの集魚部材結束具６がハリス２のループ状部２３にスカート５１およびネクタイ５２の上方位置に嵌め込まれる。すなわち集魚部材結束具６の集魚部材嵌め込み凹部６１内にその下端開口部からハリス２のループ状部２３が挿入され、さらにその挿入されたループ状部２３が集魚部材結束具６のハリス挿通孔６２から上方（外部）に引き出される。こうして集魚部材結束具６がループ状部２３におけるスカート５１およびネクタイ５２の上側に外嵌状態に配置される。この外嵌状態においては、集魚部材結束具６はループ状部２３に沿って（上下方向に沿って）スライド自在に移動できるように配置されている。
【００２７】
こうしてループ状部２３にスライド自在に配置した集魚部材結束具６を図３Ｂおよび図５Ｂに示すようにループ状部２３に沿って下方にスライドさせていき、集魚部材結束具６の集魚部材嵌め込み凹部６１内にスカート５１およびネクタイ５２におけるループ状部２３への挿通配置部を結びコブ２２と共に嵌め込む。この嵌め込み状態ではスカート５１およびネクタイ５２の挿通配置部が逆Ｕ字状に屈曲し、その屈曲部が結びコブ２２と共に集魚部材結束具６の集魚部材嵌め込み凹部６１内に圧密状態に嵌め込まれる。従ってスカート５１およびネクタイ５２の挿通配置部は集魚部材結束具６および結びコブ２２により挟持されて、スカート５１およびネクタイ５２がハリス２に保持される。さらにこの取付状態においては、スカート５１およびネクタイ５２の挿通配置部両側が集魚部材結束具６の周壁部によって下側に抑え込まれているため、スカート５１およびネクタイ５２が側方や上側に拡がることがなく下向きに揃って配置されるようになっている。
【００２８】
なお本実施形態においては、ハリス２の結びコブ２２を集魚部材結束具６の集魚部材嵌め込み凹部６１に直接嵌め込んでスカート５１およびネクタイ５２を保持するようにしているが、本発明においては、結びコブ２２を利用して他の部材によってスカート５１およびネクタイ５２等の集魚部材５を集魚部材嵌め込み凹部６１内に嵌め込んで保持するようにしても良い。例えば図５Ｃに示すように、ハリス２のループ状部２３における結びコブ２２よりも上側にビーズ玉７を挿通配置しておき、ループ状部２３に挿通配置された集魚部材５をビーズ玉７と共に集魚部材嵌め込み凹部６１内に嵌め込むことにより、集魚部材５を集魚部材嵌め込み凹部６１内に保持させるようにしても良い。さらにはビーズ玉７以外でも、ハリス２の結びコブ２２の上側に糸を巻き付けて形成した巻き付け糸部や、ハリス２の結びコブ２２の上側に設けた浮き止めゴムや浮き止め糸等を集魚部材５と共に集魚部材嵌め込み凹部６１内に嵌め込んで、集魚部材５を保持するように構成していても良い。このような構成を採用した場合には、ハリス２のサイズ等によって結びコブ２２がハリス挿通孔６２よりも小さくなるような場合でも、集魚部材５を確実に取り付けることができる。
【００２９】
なお図５Ｄに示すように集魚部材結束具６を下側に向かうに従って径寸法が細くなるように形成し、集魚部材嵌め込み凹部６１の下端開口側を狭く形成することによって、集魚部材嵌め込み凹部６１内にスカート５１およびネクタイ５２等の集魚部材５を結びコブ２２等と共に嵌め込んで固定した際に、結びコブ２２等の抜け止めをより確実に図ることができ、スカート５１およびネクタイ５２等の集魚部材５を高い取付強度で取り付けることができる。
【００３０】
図２に示すようにヘッド３には、ヘッド自体を貫通するハリス挿通孔３２が形成されている。そして図１に示すように上記集魚部材結束具６のハリス挿通孔６２から上方に引き出されたハリス２のループ状部２３が、ヘッド３のハリス挿通孔３２にその一端開口部から挿入されて他端開口部から引き出される。こうしてヘッド３は集魚部材結束具６と同様にループ状部２３に沿ってスライド自在に取り付けられている。
【００３１】
以上のように構成された本実施形態のルアー１はハリス２の上端部（折り返し部２１）に道糸が結び付けられて、ルアーフィッシングが行われるものである。
【００３２】
一方、ハリス２に道糸が結び付けられた状態でスカート５１やネクタイ５２を交換する場合、例えば釣り場等でスカート５１やネクタイ５２を交換するような場合には、必要に応じてヘッド３をハリス２のループ状部２３や道糸に沿って上方に移動させておいて、図５Ａに示すようにスカート５１およびネクタイ５２に対し集魚部材結束具６をハリス２のループ状部２３に沿って上方にスライド移動させる。こうして集魚部材結束具６をスカート５１、ネクタイ５２、結びコブ２２から取り外す。これによりスカート５１およびネクタイ５２に対するループ状部２３による保持が解除されるため、スカート５１およびネクタイ５２をループ状部２３から簡単に抜き取ることができる。
【００３３】
スカート５１およびネクタイ５２を抜き取った後、新たなスカート５１およびネクタイ５２をループ状部２３に挿通してから、図５Ｂに示すように上記と同様に集魚部材結束具６を下側にスライド移動させてスカート５１およびネクタイ５２の挿通配置部を結びコブ２２と共に集魚部材嵌め込み凹部６１内に嵌め込む。これによりスカート５１およびネクタイ５２をハリス２に取り付けることができる。このように集魚部材結束具６を上下にスライド操作するだけでスカート５１およびネクタイ５２に対する固定および解除を行うことができるため、スカート５１およびネクタイ５２を簡単に交換することができる。
【００３４】
以上のように本実施形態のルアー１によれば、集魚部材結束具６をスライド操作するだけで簡単にスカート５１およびネクタイ５２等の集魚部材５を交換することができる。
【００３５】
また本実施形態においては、集魚部材結束具６の周壁部によってスカート５１およびネクタイ５２を下方に抑え込むようにしているため、スカート５１およびネクタイ５２の両側部を強制的に下方に向くように配置することができる。このため、スカート５１やネクタイ５２が不規則に拡がってしまう等の不具合を確実に防止することができる。すなわち図６および図７に示すように水中のルアー１に対する水流の影響によって、両図の矢符号に示すようにヘッド３の後方にスカート５１やネクタイ５２を後方に巻き込むような流れ（反転流等）が発生すると、スカート５１やネクタイ５２が不規則に拡がるような不本意な挙動をとる。これに対し本実施形態のルアー１においては、スカート５１やネクタイ５２が強制的に下向きに配置されているため、反転流が発生したとしても、スカート５１やネクタイ５２が必要以上に大きく拡がってしまうようなことがなく、図８に示すように水流に沿って後方にひらめくような理想的な動きでなびくようになり、釣果を著しく向上させることができる。
【００３６】
ここで従来のルアーのようにスカート等が強制的に下向きに配置されず側方に拡がっているような場合には、図７に示す反転流によってスカート等が大きく巻き上がってしまうと、場合によってスカート等がヘッドの前方まで移動してヘッドに絡み付いてしまい、スカート等がヘッドに絡み付いたまま元に戻らず理想的に揺れ動くことがなくなり、釣果を低下させてしまうという不具合が発生する。
【００３７】
また本実施形態のルアー１においては、ヘッド３がハリス２に対し自在に移動する遊動仕掛けであるため、バラシが発生するのを有効に防止することができる。
【００３８】
なお上記実施形態においては、スカート５１およびネクタイ５２の双方が取り付けられたルアーを例に挙げて説明したが、それだけに限られず、本発明においては、スカートのみ、またはネクタイのみが取り付けられたルアーにも適用することができ、さらにスカートおよびネクタイ以外の集魚部材が取り付けられたルアーにも適用することができる。
【００３９】
またハリス２のループ状部２３に集魚部材５を物理的に挿通できるのであればループ状部の大きさはどのような大きさに形成しても良く、例えばループ状部に集魚部材およびヘッドを取り付けた際にループ状部の上端２１がヘッド３のハリス挿通孔３２から突出しない程度にループ状部を小さく（短く）形成するようにしても良い。
【００４０】
また言うまでもなく本発明において、スカート５１やネクタイ５２の使用本数（取付本数）、幅（太さ）や長さ、さらに形状等は限定されるものではない。さらにハリス２に取り付けられるフック４の数も限定されるものではない。
【００４１】
また上記実施形態においては、本発明を鯛カブラ（タイラバ）等のルアーに適用する場合を例に挙げて説明したが、それだけに限られず、本発明は鯛カブラ（タイラバ）以外のルアーにも適用することができる。さらに本発明は、ルアー（疑似餌）以外の釣具、例えば餌釣り用の釣具にも適用することができる。
【産業上の利用可能性】
【００４２】
この発明の釣具は、鯛カブラあるいはタイラバと称されるルアーとして好適に用いることができる。
【符号の説明】
【００４３】
１：ルアー（釣具）
２：ハリス
２３：ループ状部
３：ヘッド
４：フック
５：集魚部材
５１：スカート
５２：ネクタイ
６：集魚部材結束具
６１：集魚部材嵌め込み凹部
６２：ハリス挿通孔
【図１】
0006486210.tif 000002
【図２】
0006486210.tif 000003
【図３Ａ】
0006486210.tif 000004
【図３Ｂ】
0006486210.tif 000005
【図４】
0006486210.tif 000006
【図５Ａ】
0006486210.tif 000007
【図５Ｂ】
0006486210.tif 000008
【図５Ｃ】
0006486210.tif 000009
【図５Ｄ】
0006486210.tif 000010
【図６】
0006486210.tif 000011
【図７】
0006486210.tif 000012
【図８】
0006486210.tif 000013